(57)【要約】  【課題】  小型化、軽量化すると共に、理美容師が効率よく作業することができる出張理美容室を提供する。  【解決手段】  いわゆるワンボックス車の車内に、鏡２１、理美容用椅子２２、シャンプー台２３等の理美容用の設備を配置する。ここでシャンプー台２３のボウル２４は、非使用時には車内の側端に移動されるため、作業の障害とはならない。また、水及び電気は出張先の水道や電源から、受水口２９及び電源コネクタ３０を介して、車内の諸設備に供給される。従って、給水タンクや発電機等を車内に搭載することはないため、軽量化及び車内の空間の拡大に寄与する。【選択図】  図１
2004331045.tif 000002
【特許請求の範囲】
【請求項１】
a)運転席を含む全体を囲う外殻により後部に理美容師が作業可能な高さの空間を確保した自動車と、
b)前記自動車の車内に載置した理美容用椅子と、
c)使用時には前記理美容用椅子に座った客の洗髪が可能な位置に、非使用時には前記車内の側端に洗面器を移動可能なシャンプー台と、
d)車内で使用される湯を沸かすボンベ式湯沸器と、
e)車体の側面に設けられ、外部から車内の設備に水を供給するための受水口と、
f)車体の側面に設けられ、外部から車内の設備に電力を供給するための電源コネクタと、
g)車体下部に設けた排水タンクと、
を備えることを特徴とする出張理美容室。
【請求項２】
更に、人や車椅子を昇降させるリフトを車内後端に設けたことを特徴とする請求項１に記載の出張理美容室。
【請求項３】
前記リフトが非使用時に自動車の車内に収納されることを特徴とする請求項２に記載の出張理美容室。
【請求項４】
前記湯沸器の近傍の天井に換気扇を設けたことを特徴とする請求項１〜３のいずれかに記載の出張理美容室。
【請求項５】
前記洗面器の使用時の位置の略直上の天井に換気扇を設けたことを特徴とする請求項１〜４のいずれかに記載の出張理美容室。
【請求項６】
前記湯沸器において発生する排ガスを車外に排気する車外排気口を前記自動車の側面上部に設け、該車外排気口の開口部を下方に向けたことを特徴とする請求項１〜５のいずれかに記載の出張理美容室。
【請求項７】
前記車外排気口を覆うフードを設けたことを特徴とする請求項６に記載の出張理美容室。
【請求項８】
前記湯沸器がシャンプー台の洗面器の非使用時における前記位置とは反対側の車内側端に配置されることを特徴とする請求項１〜７のいずれかに記載の出張理美容室。
【請求項９】
前記湯沸器のボンベがカセット式ガスボンベであることを特徴とする請求項１〜８のいずれかに記載の出張理美容室。
【請求項１０】
前記湯沸器のボンベを収容し、前記自動車の車外側面から前記ボンベを搬出入する搬出入口と、底部に車外へ通じる排気口を有するボンベ室を設けたことを特徴とする請求項１〜９のいずれかに記載の出張理美容室。
【発明の詳細な説明】
【技術分野】
【０００１】
本発明は、自動車に理容室又は美容室の諸設備を搭載した出張理美容室に関する。
【背景技術】
【０００２】
歩行障害や視力障害を持つ障害者や老人等の移動制約者にとって、ひとりで外出することは難しい。買い物等については、ホームヘルパー等が代行したり、また、最近ではスーパーマーケット等が宅配サービスを行う等、移動制約者が直接商店に出向く必要はない。しかし、理容や美容(以下、「理美容」と呼ぶ)についてはこのような代行を行うことはできず、移動制約者が直接理美容師による施術を受けなければならない。
【０００３】
そこで、理美容室の諸設備を搭載して、車内で理美容サービスを行うことができる移動理美容車が検討されている。この移動理美容車を移動制約者の自宅や福祉施設等に派遣することにより、移動制約者が通常の理美容室に出向くことなく、理美容サービスを受けることができる。
【０００４】
このような移動理美容車として、特許文献１及び２に、トラックの荷台を改造して通常の理美容室の諸設備を搭載した移動理美容車が提案されている。これらの移動理美容車では、車内、即ち理美容室としてのスペースを広く取っている。例えば、特許文献１では、普通貨物自動車の中では最大の４トントラックを用いている。また、特許文献２の移動理美容車では、駐車して理美容室として使用する際に車幅を拡幅する構造を有している。
【０００５】
【特許文献１】特開平11-198709号公報（[0009], 図1）
【特許文献２】特開2000-62519号公報（[0005], [0009], 図2, 図5）
【０００６】
これらの移動理美容車がこのように車内のスペースを広く取る理由は、都道府県条例により、不特定多数の客を相手とする理美容室には一定以上のスペースを確保することが義務づけられていることにある(例えば、特許文献２の[0005]参照)。
【０００７】
このような規制が適用されるのは、移動理美容車で出向いた場所において、不特定多数の客に対して理美容サービスを行う場合である。一方、特定の客の求めに応じて、客に指定された場所に出張し、その客のみに対して理美容サービスを行う場合には、この規制は適用されない。そのため、このような特定客のもとへ出張するための理美容車(以下、「出張理美容室」と呼ぶ)の場合には、前記のように大きな車体を用いることは、必要でないばかりか、広い駐車スペースを必要とするため却って不利である。従って、車体をより小型化する必要がある。
【０００８】
また、前記特許文献１及び２では、車輌に搭載する諸設備やその配置には特に工夫は見られない。これは、前記の理由によりスペースを小型化する必要がないため、通常の理美容室の設備をそのまま搭載しても不都合がないためである。それに対して、車体が小さい出張理美容室には、通常の理美容室と同様の設備をそのまま搭載することは不可能である。もちろん、設備の配置については、小さいスペースの中でも理美容師が効率よくサービスを行うことができることも考慮しなければならない。
【０００９】
更に、車輌の小型化により、搭載可能重量も小さくなるため、搭載する諸設備を軽量化する必要がある。また、車輌の走行時の安定性を確保するため、諸設備の配置による重量バランスを考慮することも重要となる。このような諸設備の重量についても、特許文献１及び２では考慮されていない。
【発明の開示】
【発明が解決しようとする課題】
【００１０】
本発明が解決しようとする課題は、小型化、軽量化すると共に、理美容師が効率よく作業することができる出張理美容室を提供することである。
【課題を解決するための手段】
【００１１】
上記課題を解決するために成された本発明に係る出張理美容室は、
a)運転席を含む全体を囲う外殻により後部に理美容師が作業可能な高さの空間を確保した自動車と、
b)前記自動車の車内に載置した理美容用椅子と、
c)使用時には前記理美容用椅子に座った客の洗髪が可能な位置に、非使用時には前記車内の側端に洗面器を移動可能なシャンプー台と、
d)車内で使用される湯を沸かすボンベ式湯沸器と、
e)車体の側面に設けられ、外部から車内の設備に水を供給するための受水口と、
f)車体の側面に設けられ、外部から車内の設備に電力を供給するための電源コネクタと、
g)車体下部に設けた排水タンクと、
を備えることを特徴とする。
【発明の実施の形態及び効果】
【００１２】
本発明の出張理美容室では、自動車に理美容サービス用の諸設備を搭載する。出張理美容室はスペースの確保について条例による規制を受けないため、本発明では、従来の移動理美容車において用いられるトラックよりも小さい自動車を用いる。例えば、いわゆるワンボックス車として市販されている全長5m程度、幅1.7m未満の大きさのものを用いることができる。自動車の外形を小さくすることにより、運転が容易になり、狭い場所にも入りやすくなる。また、出張理美容室の場合には個人の住宅等、駐車スペースの狭い場所に出向く場合が多いため、上記のように自動車を小さくして、必要な駐車スペースを小さくすることが有益である。一方、車内の床から天井までは、理美容師が直立できるか、又は少なくとも前屈みで立って作業することが可能な高さを確保する。
【００１３】
この自動車の車内に理美容用椅子を載置する。また、車内にシャンプー台を設ける。このシャンプー台には、使用しない時には車内の側端に配置され、使用する時には理美容用椅子に座った客の洗髪が可能な位置に洗面器(ボウル)を移動可能なものを用いる。このようなシャンプー台として、回動可能なアームの先に洗面器を設けたものがある。これにより、シャンプー時以外において、使用されていないシャンプー台により理美容用椅子周辺のスペースが占拠されることを防ぐことができる。
【００１４】
このシャンプー台や車内の他の設備に湯を供給するため、ガスボンベのガスを燃料とするボンベ式湯沸器を車内に設ける。ボンベ式湯沸器に燃料を供給するボンベも車内に搭載する。このボンベには、複数本のカセット式ボンベを同時に使用することのできる市販のマルチカセット装置を使用することが望ましい。一般のプロパンガスボンベは、容器自体の重量のために軽量化に限界があるが、カセット式ボンベは容器の重量が比較的軽いため、車両重量の低減に寄与する。通常の場合、出張理美容室で使用するために必要な湯量及び湯温はマルチカセット装置で十分確保することができる。一方、寒冷地で使用する場合等のように通常よりも多くの熱量を湯沸器に供給する必要がある場合や、多くの熱量を余裕をもって供給したい場合には、小型のプロパンガスボンベを使用する。その場合、上記のような目的を満たし、且つ重量の増加を最小限に抑えることができる、容量が2kgのプロパンガスボンベを使用することが望ましい。
【００１５】
更に、ボンベを収容し、自動車の車外からボンベを搬出入することができる搬出入口を有するボンベ室を設けることが望ましい。このボンベ室の底部には、車外へ通じる排気口を設ける。このようなボンベ室を設けることにより、ボンベを交換する際に車内に出入りする必要がなく労力が軽減されると共に、万一、ボンベからガスが漏れた際にもガスが車内に流入せずに排気口から車外に流出するため、安全を確保できる。
【００１６】
本発明の出張理美容室では従来の移動理美容車よりも車内の空間が小さいため、酸素不足及び不完全燃焼が生じないように、換気を効率よく行うことが重要である。そこで、本発明の出張理美容室では、使用する湯沸器の給湯能力に応じて、以下のような換気装置を設けることが望ましい。
【００１７】
前記マルチカセット装置を使用する場合等、給湯能力の比較的低い湯沸器を使用する場合には、換気扇を用いて換気を行う。この換気扇は、換気を効率よく行うために、湯沸器の近傍の天井に設けることが望ましい。取付位置は湯沸器の直上が最も望ましいが、重量バランス等を考慮して、車体の中心線の近くとしてもよい。
【００１８】
一方、給湯能力の高い湯沸器(給湯器)を使用する場合には換気の重要性がより高まる。そのため、給湯器に排ガスを排気する排気口を設けると共に、自動車の上部側面にこのガスを車外に排気する車外排気口を設け、給湯器の排気口と車外排気口とを排気管によって接続することが望ましい。市販の給湯器には、上記のような排気口が予め設けられている場合があるが、その場合にはこの既設の排気口をそのまま用いればよい。これにより、給湯器から排気されるガスは、車内に流入することなく、給湯器の排気口から排気管、車外排気口を経て車外に排気され、車内における酸素不足や不完全燃焼が防止される。
【００１９】
車外排気口の開口部は下方を向くように設けることが望ましい。これにより、開口部から雨水等が排気管に流入することを防ぐことができる。また、車外排気口は自動車の全幅内に納まるように設ける。ただし、排気されるガスは温度が高いため、車外排気口の開口部は自動車の車体から或る程度離すようにする。市販のワンボックス車では通常、上部において車体の幅が狭められているため、このようにすることは十分可能である。
【００２０】
更に、前記車外排気口にはフードを設けることが望ましい。これにより、雨水等の流入をより確実に阻止することができると共に、車外排気口が外部から見え難くなり美観が向上する。このフードも前記と同様に自動車の全幅内に収まるように設ける。
【００２１】
なお、上記の給湯器の排気口、車外排気口及び排気管が、車外から給湯器に空気を供給する吸気路を兼ねたものであってもよい。例えば、排気管の内部を略同軸の２重管で構成し、内側・外側のうちの一方を排気用、他方を吸気用とする。この場合、排気管の構造に対応して、給湯器及び車外にも排気口と吸気口を設ける。排気と並行して吸気を行うことにより、換気の効率をより高めることができる。
【００２２】
換気扇の取付位置に関しては、別の観点からの考慮も必要である。すなわち、シャンプー使用時には湯気が大量に発生するが、それが車内にこもると、理美容の作業性を損ったり客に不快感を与えるたりする他、車内の備品等の劣化やカビ生成の原因ともなる。そこで、湯気の発生源である、使用時の洗面器の直上に換気扇を設けることとしてもよい。
【００２３】
車体側面には、車内で使用する水及び電力の供給を受けるための受水口及び電源コネクタを設ける。これにより、外部から前記湯沸器や車内の他の設備に水が直接供給され、電力も外部から車内の設備に直接供給される。従って、この出張理美容室には、別途給水タンクや、発電機・バッテリー等の電源を搭載する必要はない。
【００２４】
不特定多数の客を対象とする移動美容車では、出先で水や電力を確保することが困難であるため、給水タンク及び発電機等の電源を搭載している。このことは、車輌重量の増加の要因となっている。それに対して本発明の出張理美容室では、出張を求めた客のみに理美容サービスを行うため、外部、即ち出張先である客の自宅や施設から水及び電力を供給してもらう。従って、給水タンクや電源を搭載せずに車内のスペースの減少を防ぐと共に、車輌重量を低減した。
【００２５】
車内の冷暖房にはベースとなる自動車の既設のエアコンを用いればよいが、本発明の出張理美容室では車内に設置した湯沸器から熱が発生するため、それに加えて、又はそれに代えて、車内にエアコンを設けることが望ましい。このエアコンは家庭用の小型のもので十分であるが、外部電源を使用する。従って、自動車の既設のエアコンを使用しない場合には、自動車のエンジンを運転し続ける必要がない。
【００２６】
使用後の水はシャンプー液や頭髪等を含むため、専用の排水処理が必要である。従って、このような水を客の自宅や施設内にある排水施設に流すことができないため、本発明の出張理美容室では排水タンクを設ける。車内で発生した水をこのタンクに貯留し、出張サービスから戻った後、タンクから水を抜き取る。
【００２７】
本発明の出張理美容室を利用する客として、主に移動制約者が想定されるため、移動制約者が容易に車内に入ることができるようにすることが望ましい。この点に関しては、車内と外部との段差が問題となる。そのため、本発明の出張理美容室に、更に人や車椅子を昇降させるリフトを自動車の後部に設けることが望ましい。また、このリフトは、使用しない時には車内に収納可能とすることが望ましい。これにより、走行時に雨や埃等によりリフトが汚れることを防ぐと共に、走行時の出張理美容室の見栄えを向上させることができる。
【００２８】
車内への設備の配置に関しては、設備の総重量が低減されることのみならず、移動時の自動車の走行安定性を確保するために重量バランスが考慮されることが望ましい。車内に配置される設備の中で、特に重量の大きいシャンプー台と湯沸器を、重量バランスを考慮して配置することが望ましい。シャンプー台は車内の一方の側端に配置されるため、湯沸器はそれとは反対側の車内側端に配置すればよい。
【実施例１】
【００２９】
図１に、本発明に係る出張理美容室の第１実施例の平面図((a))及び側面図((b))を示す。自動車１１には、市販のいわゆるワンボックスカーを用いている。理美容師が車内で立った姿勢で作業ができるように、車内高ができるだけ高いワンボックスカーを用いることが望ましい。本実施例では、自動車１１の車内高は1620mmである。この車内高は、ベースとなる市販車において確保されている高さである。また、車内での作業性を改善するために、この市販車の屋根を改造して車内高を1820mmとしたものも併せて作製した。自動車１１の外形寸法は、全長4990mm、全幅1690mmである。この外形寸法は従来の移動理美容室の場合よりも小さいため、比較的狭い路地等でも運転可能である。また、自動車１１は運転席１２横に扉１４、助手席１３横に扉１５、左側面にスライド式の扉１６、後部にハッチバック式の扉１７を有する。左側面の扉１６の位置の車内床面にはステップ１８が設けられている。これらの扉及びステップは、ベースとなる市販車に設けられているものである。
【００３０】
車内には、運転席１２の後方に、車内後方に向けた鏡２１を設ける。この鏡２１に対向して、理美容用椅子２２を設置する。理美容用椅子２２には既存のものを用いることができる。この理美容用椅子２２は、理美容師の操作により座面を回転又は昇降させたり、背もたれを傾け又は起こすことができる。
【００３１】
車内の左側端にシャンプー台２３を設ける。シャンプー台２３は、回動可能なアームの先にボウル(洗面器)２４を設けたものであり、シャワー、排水管等を有する。シャンプー台２３を使用しない時には、ボウル２４は図１に示すように車内の左側端に配置される。一方、シャンプーを行う時には、図２に示すようにアームを回動させることによりボウル２４を理美容用椅子２２の背後に移動する。
【００３２】
シャンプー台２３の後方のタイヤハウス１９１の直上に湯沸器２６を設ける。本実施例では、湯沸器２６には燃料源としてマルチカセット装置が接続される。本実施例では、湯沸器がシャンプー台の近傍に配置されるため、湯沸器とシャンプー台との間の湯の配管が容易になる。また、湯沸器２６を前記のようにタイヤハウス１９１の直上に配置することにより、タイヤハウス１９１直上の空間を有効に利用している。
【００３３】
車内の側端部に排水タンク２７を設ける。この排水タンク２７には、シャンプー台２３等からの排水が流入するように配管が接続されている。また、自動車１１の下部に排水口２８を設ける。排水口２８は配管により排水タンク２７に接続されている。
【００３４】
自動車１１の側面に、受水口２９、電源コネクタ３０が配置される。受水口２９は、客の自宅や施設等の車外の水道と接続するためのものである。受水口２９には、車内のシャンプー台２３や湯沸器２６等に給水するための配管が接続されている。電源コネクタ３０は、車外の電源から車内のコンセントや理美容用椅子２２等に電力を供給するためのものである。
【００３５】
車外から受水口２９を経て湯沸器２６に供給される水は、湯沸器２６により所定の温度に昇温され、シャンプー台２３のシャワーに供給される。シャンプー台２３では、サーモミキシング水栓により、湯沸器２６から湯と受水口２９から直接供給される水とが適切な比で混合されることにより、水温が調節される。
【００３６】
また、本実施例では、天井に換気扇３１を設ける。換気扇３１の位置は、自動車の前後方向については湯沸器２６と略同一の位置とし、自動車の幅方向については自動車１１の略中央とする。ここでは、重量バランスを考慮したうえで、湯沸器２６から発生する燃焼ガスが車内にこもることなく直ちに排気することができる位置として、換気扇３１を上記の位置に設けた。また、換気扇３１には、換気効率の高い、大型バス用の既存の換気扇を用いた。
【００３７】
車内の後端に、昇降リフト３２を設ける。昇降リフト３２は、非使用時には車内に収納される。使用時には扉１７を開けた状態で自動車１１の後部から車外へせり出し、プラットホームが昇降する。このようなリフトは既存のものを用いることができる。この昇降リフト３２を用いることにより、車椅子等を容易に車内に入れることができる。
【００３８】
その他、車内には備品棚３３やカットされた頭髪を掃除するための廃髪口３５等の設備を適宜配置する。なお、備品棚をタイヤハウス１９２上にも設けることにより、タイヤハウス１９２上の空間を有効に利用することができる。車内の冷暖房には、自動車１１に既設のエアコンを用いる。
【００３９】
本実施例の出張理美容室の使用方法について述べる。理美容師は出張理美容室である自動車を運転して、出張理美容サービスの基地から、客の自宅や施設等へ出向き、駐車する。本実施例では市販のワンボックスカーをベースとしているため、普通の乗用車用の駐車場や個人宅の玄関先等、比較的狭いスペースにも駐車可能である。駐車後、ホースにより客先の水道と受水口２９とを、電源ケーブルにより客先の商用電源(AC100V)のコンセントと電源コネクタ３０とを、それぞれ接続する。
【００４０】
客が車椅子を使用している場合等、客の足が不自由な場合には、昇降リフト３２を用いることにより、客は楽に車内に入ることができる。なお、足が不自由でない場合には、客は側面の扉１６から車内に入ることもできる。
【００４１】
客が着席しやすい方向に向くように、理美容用椅子２２を回転させる。客が車椅子を使用している場合には、車内後部の空間３４に車椅子を配置し、空間３４の方向に理美容用椅子２２の側面を向け、車椅子から理美容用椅子２２に移乗する。空間３４は十分な大きさがあるため、この移乗を容易に行うことができる。
【００４２】
カットや顔剃(理容の場合)等、ほとんどの施術は、通常の理美容室と同様に行うことができる。本実施例では、非使用時にはシャンプー台２３のボウル２４が車内の側端に配置され、理美容用椅子２２の周囲に障害物がないため、理美容師は自由に動くことができる。また、車内高を1620mm又は1820mm確保しているため、理美容師は楽な姿勢で施術することができる。
【００４３】
シャンプー時には、シャンプー台２３のボウル２４を図２に示す位置に移動する。この時のボウル２４と理美容用椅子２２との位置関係を図３に示す。理美容師は、理美容用椅子２２の背もたれを倒して、仰向けになった客の後頸部をボウル２４のネックホルダ２５で支えた状態でシャンプーを行う。シャワーへ供給される湯の温度は、手元のサーモミキシング水栓により調節することができる。使用後の水は排水タンク２７に貯留される。
【００４４】
施術終了後、客は昇降リフト３２又は扉１６から車外へ降りる。受水口２９及び電源コネクタ３０からホース及び電源ケーブルを外し、客先での作業が終了する。出張理美容室が出張理美容サービスの基地に戻った後、排水タンク２７内の水を排水口２８から抜き取る。その後、この基地内の設備を用いて、排水に対して所定の処理を行う。
【実施例２】
【００４５】
図４に、本発明に係る出張理美容室の第２実施例の平面図((a))及び側面図((b))を示す。本実施例は、寒冷地で使用する場合や、より余裕をもって湯を供給する場合のために、第１実施例の湯沸器よりも給湯能力の大きい給湯器５１を搭載したものである。この給湯器５１は給湯能力が16号(水温を25℃上昇させた湯を1分間当たり16リットル供給可能)の市販のものを用い、その燃料源には容量2kgの小型プロパンガスボンベを用いる。
【００４６】
給湯器５１の上部に給排気口が設けられ、この給排気口に給排気管５２が接続される。給排気管５２は、図５に示すように略同軸の２重構造を有する。ここで図５(a)は軸に垂直な方向の断面図、(b)は軸に平行な方向の断面図である。２重構造の外側５２１を外部から給湯器５１へ向けて空気が流れ、内側５２２を給湯器５１から外部へ向けて給湯器５１からの排気が流れる。
【００４７】
図６の車体の幅方向の断面図に示すように、給排気管５２の一端は図のように曲げられており、自動車１１の側面から車外に突出し、開口部が下方を向くように設置される。これにより、雨水が給排気管５２に流入するのを防ぐことができる。また、給排気管５２の車外への突出部に、フード５３を設ける。これによって、雨水の流入を更に確実に防ぐと共に、外部から給排気管５２が見えないようにして美観を保つことができる。
【００４８】
図６には併せて、給湯器５１に燃料を供給するプロパンガスボンベ５４及びこのボンベを収納するボンベ室５５を示している。プロパンガスボンベ５４を交換する際には、ボンベ室５５の車内側の側面に設けた搬出入口５６の扉を開けて、該搬出入口５６から搬出入する。
【００４９】
換気扇３１は第１実施例の換気扇と同じものである。本実施例では上記のように給排気管５２を設けたため、この換気扇３１は車内の空気や湯気を排気するために用いられる。
【００５０】
その他の構成は第１実施例と同様であるため、各構成要素に第１実施例と同じ符号を付し、それらの詳細な説明を省略する。また、本実施例の出張理美容室の使用方法も、上記給湯器５１の動作を除いて、第１実施例と同様である。
【００５１】
第１実施例及び第２実施例の出張理美容室は、更に以下のような構成とすることもできる。
例えば、図７に示すように、シャンプー台２３とは反対側の車内側端に湯沸器又は給湯器４１を配置してもよい。この場合、重量の大きいシャンプー台２３と湯沸器又は給湯器４１とが自動車１１の両側端に分散して配置されることにより重量バランスがよいため、自動車１１の走行安定性が向上する。
【００５２】
また、図８に示すように、シャンプーを行う時のボウル２４の位置の略直上に換気扇４２を配置してもよい。この位置は、シャンプー時における湯気の発生源であるシャワーに最も近く、これにより湯気が車内にこもることなく直ちに排気することができる。特に第２実施例では、換気扇は給湯器から発生するガスを排気する必要がないため、このような位置に換気扇を配置することが有益である。
【００５３】
図９に示すように、搬出入口６２をボンベ室６１の車内側ではなく車外側の側面に設けてもよい。ボンベを交換する際に、作業者が車内に出入りする必要がなく容易に作業できる。また、ボンベ室６１の車内側には搬出入口等の開口がないため、ボンベ室６１と車内との間の気密が保たれる。更に、ボンベ室６１の底部には、タイヤハウス１９１を通して外部に通じる排気口６３を設けることが望ましい。これらの構成により、万一ボンベからガスが漏れても、ガスは車内に流入することなく、排気口６３から車外へ流出するため、安全が確保される。なお、図９にはプロパンガスボンベをボンベ室内に収納する例を示したが、第１実施例で述べたマルチカセット装置をこのようなボンベ室内に収納してもよい。
【００５４】
図１０に、車内に家庭用のエアコン７１を設けた例を示す。エアコン７１を付加的に設けることにより、湯沸器を使用している間も車内の温度を快適に保つことができる。このとき、自動車の既設のエアコンの使用を停止することができるため、自動車１１のエンジンを停止して、エンジンからの騒音や排ガスの発生を防止することができる。本実施例では、理美容室と運転席１２とを仕切る壁２０の上部にある、自動車１１に既設のエアコンの吹き出し口７２の上にエアコン７１を設けた。そのため、例えば、騒音や排ガスの発生を防止したい場合にはエアコン７１のみを使用し、客先の電源を使用しない方がよい場合には既設のエアコンのみを使用するというように、状況に応じて２つのエアコンを使い分けることができる。また、強い冷暖房を必要とする場合等には、２つのエアコンを共に使用してもよい。
【００５５】
外部電源として、商用電源を使用する代わりに市販の発電機を使用してもよい。出張理美容室の移動中は図１１(a)に示すように発電機８１を車内に置き、理美容サービスを行う際は昇降リフト３２を用いて発電機８１を車外へ降ろし、(b)に示すように発電機８１と電源コネクタ３０とを接続する。なお、発電機８１の底部には移動用のキャスター８２を設けておくのが便利である。上記エアコン７１を車内に設置する場合には、その消費電力を考慮して定格出力2.6kVAの発電機を用いることが望ましい。
【００５６】
更に、コストの低減及び/又は重量の低減のために、昇降リフト３２の代わりにスロープを設けてもよい。
【図面の簡単な説明】
【００５７】
【図１】本発明の出張理美容室の第１実施例を示す平面図及び側面図。
【図２】シャンプー台２３を使用する時の配置を示す平面図。
【図３】シャンプー台２３を使用する時の配置を示す斜視図。
【図４】本発明の出張理美容室の第２実施例を示す平面図及び側面図。
【図５】第２実施例の給排気管の構造を示す断面図。
【図６】第２実施例の出張理美容室の湯沸器を含む面での幅方向の断面図。
【図７】シャンプー台と湯沸器とを両側端に分散して配置する例を示す平面図。
【図８】シャンプー時のボウルの位置の略直上に換気扇を配置する例を示す平面図。
【図９】車外からボンベを搬出入することができるボンベ室を設けた例を示す断面図及び側面図。
【図１０】車内に家庭用エアコンを設けた例を示す断面図。
【図１１】本発明の出張理美容室に発電機８１を搭載する例を示す、移動時における平面図と、発電機の使用時における側面図。
【符号の説明】
【００５８】
１１…自動車
１２…運転席
１３…助手席
１４、１５、１６、１７…扉
１８…ステップ
１９１、１９２…タイヤハウス
２０…壁
２１…鏡
２２…理美容用椅子
２３…シャンプー台
２４…ボウル
２５…ネックホルダ
２６…湯沸器
２７…排水タンク
２８…排水口
２９…受水口
３０…電源コネクタ
３１、４２…換気扇
３２…昇降リフト
３３…備品棚
３５…廃髪口
４１…湯沸器又は給湯器
５１…給湯器
５２…給排気管
５３…フード
５４…プロパンガスボンベ
５５、６１…ボンベ室
５６、６２…搬出入口
６３…排気口
７１…エアコン
８１…発電機
８２…キャスター
【図１】
2004331045.tif 000003
【図２】
2004331045.tif 000004
【図３】
2004331045.tif 000005
【図４】
2004331045.tif 000006
【図５】
2004331045.tif 000007
【図６】
2004331045.tif 000008
【図７】
2004331045.tif 000009
【図８】
2004331045.tif 000010
【図９】
2004331045.tif 000011
【図１０】
2004331045.tif 000012
【図１１】
2004331045.tif 000013